(57)【特許請求の範囲】
【請求項１】
一以上のデバイスとコーディネータ間で無線通信を行う無線通信ネットワーク間の共存システムにおいて、
管轄内にある１又は複数の無線通信ネットワークによる各共存処理を制御する共存制御手段と、複数の上記共存制御手段から送信される各情報を記憶するとともに上記共存制御手段との間でデータを送受信するための第１のインターフェースを有し、第１のタイマーと第２のタイマー制御する記憶手段とを備える共存システムを使用し、
上記記憶手段が上記共存制御手段から新規メッセージを受信したか、又はタイマーが満了したかを識別し、何れも識別されていない場合には、当該識別ステップを繰り返し実行する識別ステップと、
上記識別ステップにおいて、新規メッセージの受信が識別された場合には、既に認証済の共存制御手段からのメッセージであるかを判別する判別ステップと、
上記判別ステップにおいて、既に認証済の共存制御手段のメッセージであることを判別した場合には、上記第１のタイマーを作動させるとともに上記第２のタイマーを停止し、更にカウンターを０にセットするセッティングステップと、
上記識別ステップにおいて上記共存制御手段からのＣＭ登録要求のメッセージを受信した場合には、これを識別した上記記憶手段により、当該共存制御手段の登録情報のアップデートを行うとともに、当該共存制御手段が管轄する無線通信ネットワークと隣接する他の無線通信ネットワークを管轄する他の共存制御手段の登録情報（以下、隣接登録情報）のアップデートを行う処理動作実行ステップと、
少なくとも上記識別ステップにおいて上記第１のタイマーの満了を識別した場合には、上記記憶手段から上記共存制御手段に対して要求信号を送信し、上記第２のタイマーをリセットするとともにカウンターを１増加させ、上記要求信号を受信した共存制御手段は、アクティブ状態に移行するタイマー制御ステップＡと、
上記識別ステップにおいて第２のタイマーの満了を識別した場合には、上記カウンターが所定値未満であれば上記タイマー制御ステップＡに移行し、上記カウンターが所定値に到達した場合には、上記処理動作実行ステップにおいて既に登録されている当該共存制御手段の登録情報を削除するとともに、当該共存制御手段の登録情報を削除したことを、隣接する他の無線通信ネットワークにおける隣接登録情報においてアップデートするタイマー制御ステップＢとを有し、
上記処理動作実行ステップ、上記タイマー制御ステップＡ、上記タイマー制御ステップＢを終了後、上記識別ステップに戻ること
を特徴とする通信共存システムによる通信共存方法。
【請求項２】
上記記憶手段は、TV White Space（ＴＶＷＳ）データベースとの間でデータを送受信するための第２のインターフェースを有し、
当該第２のインターフェースは、少なくとも上記ＴＶＷＳデータベースから有効なチャネル情報を得るために使用されること
を特徴とする請求項１記載の通信共存システムによる通信共存方法。
【請求項３】
上記第１のインターフェースは、上記ＴＶＷＳデータベースに有効なチャネル情報を提供するために使用されること
を特徴とする請求項２記載の通信共存システムによる通信共存方法。
【発明の詳細な説明】
【技術分野】
【０００１】
本発明は、複数の通信システムが同一帯域で共存する上で好適な通信共存システムによる通信共存方法に関する。
【背景技術】
【０００２】
従来よりTV White Space（ＴＶＷＳ）を利用した無線通信ネットワークの標準化が進められており、特に近年においては異なるＩＥＥＥ８０２標準がＴＶＷＳにおいて共存するための手法の標準化（ＩＥＥＥ８０２．１９規格）も進められている。このため、これら異なるＩＥＥＥ８０２標準の通信システムを同じ周波数帯においていかに共存させるかが特に重要になり、特に最近における無線通信機会の飛躍的な増大に伴い、その重要性はより増している。
【０００３】
例えば、図１０に示すように、異なる２つ以上の無線通信システム７、８が並存する場合において、先ず無線通信システム７では、基地局としての役割を担うコーディネータ７１とこれと無線通信可能な携帯端末等からなるデバイス７２ａ〜７２ｃを含み、また無線通信システム８では、基地局としての役割を担うコーディネータ８１とこれと無線通信可能な携帯端末等からなるデバイス８２ａ〜８２ｃを含むものとなる。
【０００４】
このとき、各コーディネータ７１、８１からの通信可能範囲が重なる斜線部で示す干渉範囲は、コーディネータ７１、８１の何れからも無線信号が到達しえる領域である。特に無線通信システム７、８がともに同一の周波数チャネルを使用している場合に、かかる干渉範囲にあるデバイス８２ａは、実際にコーディネータ８１との間で無線通信を行う際において、隣接する他の無線通信システム７による干渉を受けることになる。
【０００５】
このため、異なる２つ以上の無線通信システムを同じ周波数帯域において動作させる場合、互いに干渉することなく同一空間内において共存し得る共存方法を確立する必要がある。従来においても、例えば特許文献１に示すように、互いの無線通信ネットワークによる相互干渉の影響を無くしてそれぞれの共存を可能とする共存技術が提案されている（例えば、特許文献１参照。）。
【先行技術文献】
【特許文献】
【０００６】
【特許文献１】米国特許第２０１０／０００８２９７号公報
【発明の概要】
【発明が解決しようとする課題】
【０００７】
しかしながら、上述した特許文献１の開示技術は、ＩＥＥＥ８０２．２２無線通信システムにおいてビーコンプロトコル等に基づいて共存処理を行うことが記載されているに過ぎない。このため、あくまでＩＥＥＥ８０２．１９．１システムにおいて、後述する共存制御手段（Coexistence Manager :CM）や、ＣＤＩＳ（Coexistence Discovery and Information Server）を用いて、実際に高精度な干渉防止のための共存処理を行う手法は未だ提案されていないのが現状であった。
【０００８】
そこで、本発明は、上述した問題点に鑑みて案出されたものであり、その目的とするところは、ＩＥＥＥ８０２．１９．１システムにおいて共存制御手段（ＣＭ）やＣＤＩＳによる制御が行われる場合においても、高精度な干渉防止のための共存処理を行うことが可能な通信共存システムによる通信共存方法を提案することにある。
【課題を解決するための手段】
【０００９】
本発明に係る通信共存システムによる通信共存方法は、上述した課題を解決するために、一以上のデバイスとコーディネータ間で無線通信を行う無線通信ネットワーク間の共存システムにおいて、管轄内にある１又は複数の無線通信ネットワークによる各共存処理を制御する共存制御手段と、複数の上記共存制御手段から送信される各情報を記憶するとともに上記共存制御手段との間でデータを送受信するための第１のインターフェースを有し、第１のタイマーと第２のタイマー制御する記憶手段とを備える共存システムを使用し、上記記憶手段が上記共存制御手段から新規メッセージを受信したか、又はタイマーが満了したかを識別し、何れも識別されていない場合には、当該識別ステップを繰り返し実行する識別ステップと、上記識別ステップにおいて、新規メッセージの受信が識別された場合には、既に認証済の共存制御手段からのメッセージであるかを判別する判別ステップと、上記判別ステップにおいて、既に認証済の共存制御手段のメッセージであることを判別した場合には、上記第１のタイマーを作動させるとともに上記第２のタイマーを停止し、更にカウンターを０にセットするセッティングステップと、上記識別ステップにおいて上記共存制御手段からのＣＭ登録要求のメッセージを受信した場合には、これを識別した上記記憶手段により、当該共存制御手段の登録情報のアップデートを行うとともに、当該共存制御手段が管轄する無線通信ネットワークと隣接する他の無線通信ネットワークを管轄する他の共存制御手段の登録情報（以下、隣接登録情報）のアップデートを行う処理動作実行ステップと、少なくとも上記識別ステップにおいて上記第１のタイマーの満了を識別した場合には、上記記憶手段から上記共存制御手段に対して要求信号を送信し、上記第２のタイマーをリセットするとともにカウンターを１増加させ、上記要求信号を受信した共存制御手段は、アクティブ状態に移行するタイマー制御ステップＡと、上記識別ステップにおいて第２のタイマーの満了を識別した場合には、上記カウンターが所定値未満であれば上記タイマー制御ステップＡに移行し、上記カウンターが所定値に到達した場合には、上記処理動作実行ステップにおいて既に登録されている当該共存制御手段の登録情報を削除するとともに、当該共存制御手段の登録情報を削除したことを、隣接する他の無線通信ネットワークにおける隣接登録情報においてアップデートするタイマー制御ステップＢとを有し、上記処理動作実行ステップ、上記タイマー制御ステップＡ、上記タイマー制御ステップＢを終了後、上記識別ステップに戻ることを特徴とする。
【発明の効果】
【００１０】
上述した構成からなる本発明によれば、第１のタイマーは、満了する度に第２のタイマーをリセットして再スタートさせると共にカウンターを１増加させる。また、第２のタイマーの満了を識別した場合には、カウンターｎが所定値に達するまで第２のタイマーをリセットさせると共にカウンターを１増加させる処理を繰り返し実行する。そして、カウンターが所定値まで達した場合には、既に登録されている隣接する他の無線通信ネットワーク情報を削除するとともに新たな隣接する他の無線通信ネットワークのリストをアップデートし、これを上記共存制御手段へ送信する処理を繰り返す。これにより、登録情報の更新を行うタイミングを制御することで、高精度な干渉防止のための通信共存処理を行うことが可能となる。
【図面の簡単な説明】
【００１１】
【図１】本発明を適用した無線通信ネットワーク間の共存システムの構成図である。
【図２】本発明を適用した無線通信ネットワーク間の共存システムにおける一のＣＤＩＳ下の階層構造の模式図である。
【図３】本発明を適用した通信共存システムにおける通信共存方法について説明をするためのフローチャートである。
【図４】本発明を適用した通信共存システムにおける通信共存方法について説明をするための他のフローチャートである。
【図５】Ｃ、Ｄに移行した場合におけるフローチャートである。
【図６】Ｅ、Ｆに移行した場合におけるフローチャートである。
【図７】Ｇ、Ｈに移行した場合におけるフローチャートである。
【図８】Ｉ、Ｋに移行した場合におけるフローチャートである。
【図９】Ｌ、Ｍに移行した場合におけるフローチャートである。
【図１０】従来技術の問題点について説明するための図である。
【発明を実施するための形態】
【００１２】
以下、本発明の実施の形態について詳細に説明する。
【００１３】
本発明を適用した無線通信ネットワーク間の通信共存システムは、ＩＥＥＥ８０２．１９．１標準が実装され、TV White Space（ＴＶＷＳ）存在する場合においても互いに共存処理を行うことが可能なシステムである。但し、本発明を適用した通信システムは、これに限定されるものではなく、ＴＶＷＳ以外の空間においても、他のいかなるシステム間の共存処理において適用してもよい。
【００１４】
本発明を適用した無線通信ネットワーク間の通信共存システム１は、図１に示すように、一つのＣＤＩＳ（Coexistence Discovery and Information Server）２と、このＣＤＩＳとの間で情報を送受信可能な複数のＣＭ（Coexistence Manager）３と、これら各ＣＭ３との間で情報を送受信可能なＣＥ４（Coexistence Enabler）とを備えている。この図１では、ＣＤＩＳとの間で情報を送受信可能な２つのＣＭ３ａ、３ｂと、このＣＭ３ａの管轄に入っており、このＣＭ３ａのみと情報を送受信できる２つのＣＥ４ａ−１、４ａ−２と、ＣＭ３ｂの管轄に入っており、このＣＭ３ｂのみと情報を送受信できる１つのＣＥ４ｂとを備えている場合を例にとり説明をするが、これに限定されるものではない。また、ＣＤＩＳ２は、一つのみ設けられている場合に限定されるものではなく、複数に亘り設けられるものであってもよい。仮に複数のＣＤＩＳ２が設けられる場合には、互いに同期をとる必要がある。
【００１５】
また、この無線通信ネットワーク間の通信共存システム１は、外部にあるＴＶＷＳのデータベース５との間でも情報を送受信可能とされている。具体的には、ＣＤＩＳ２又はＣＭ３が、このデータベース５との間で情報を送受信可能とされている。
【００１６】
この本発明を適用した無線通信ネットワーク間の通信共存システム１は、そのシステム外にある複数の無線通信ネットワーク６間において互いに通信干渉が生じないようにして隣接空間において互いに共存しえるような共存処理を実行していく。ＣＥ４は、その共存処理対象としての無線通信ネットワーク６に実装されている。無線通信ネットワーク６は、当該ネットワークの基地局としての役割を担うコーディネータ６１と、かかるコーディネータ６１との間で無線通信可能な複数のデバイス６２を有している。
【００１７】
一のＣＥはそれぞれ割り当てられた一の無線通信ネットワーク６のコーディネータ６１内に設けられる。例えば、ＣＥ４ａ−１は、割り当てられた無線通信ネットワーク６ａ−１におけるコーディネータ６１ａ−１内に実装される。ＣＥ４ａ−２は、割り当てられた無線通信ネットワーク６ａ−２におけるコーディネータ６１ａ−２内に実装される。ＣＥ４ｂは、割り当てられた無線通信ネットワーク６ｂにおけるコーディネータ６１ｂ内に実装される。
【００１８】
以下、本発明を適用した無線通信ネットワーク間の通信共存システム１の各構成要素について詳細に説明をする。
【００１９】
ＣＤＩＳ２は、少なくとも無線通信ネットワーク６間における共存処理に関する各種情報が記述され、またＣＭ３が実際に共存処理の制御を行う場合において、自身に格納されている各種有用な情報を提供するサーバーである。また、このＣＤＩＳ２は、ＴＶＷＳのデータベース５にアクセスし、そのＴＶＷＳにおけるプライマリユーザとの共存を行う上で必要な、使用可能な情報を取得してこれを蓄積する。またＣＤＩＳ２は、ＣＭ３毎にその管轄する無線通信ネットワーク６やＣＥ４に関する情報を記憶する。即ち、このＣＤＩＳ２は、ＣＭ３との間におけるインターフェースとしての役割を担うと共に、隣接する無線通信ネットワークの発見も始めとした、共存処理の各種意思決定を行う。また、記憶手段としての役割も担う。
【００２０】
ＣＭ３は、必要に応じて共存処理に関する意思決定を行う。このＣＭ３は、共存処理に関する各要求コマンド、又は応答コマンドを生成し、これをＣＤＩＳ２やＣＥ４へ送信する。また、このＣＭ３は、ＣＤＩＳ２やＣＥ４から送信されてきた各要求コマンド、又は応答コマンドを受信して共存に関する各種意思決定を行い、又は処理動作を実行することになる。また、ＣＭ３は、ＣＥ４自体が共存に関する意思決定を行わない場合には、このＣＥ４に代わってその意思決定を代行する場合もある。またＣＭ３はＴＶＷＳとの共存処理を行う場合においても、共存制御を自ら実行し、又はこれを補助する役割も担う。ちなみに、このＣＭ３は、それぞれのＣＥ４の管轄が割り当てられている。なお、このＣＭ３は、コーディネータ６１に実装されるものであってもよいし、インターネット上において個別に設けられるものであってもよい。
【００２１】
図２は、本発明を適用した無線通信ネットワーク間の通信共存システム１における階層構造の模式的に示している。この図２によれば、例えばＣＭ３ａの管轄としては、ＣＥ４ａ−１、ＣＥ４ａ−２、ＣＥ４ａ−３が割り当てられている。ＣＭ３ｂの管轄としては、ＣＥ４ｂ−１、ＣＥ４ｂ−２、ＣＥ４ｂ−３、ＣＥ４ｂ−４が割り当てられている。またＣＭ３ｃの管轄としては、ＣＥ４ｃ−１、ＣＥ４ｃ−２、ＣＥ４ｃ−３が割り当てられている。例えばＣＭ３ａは、自らの管轄内にあるＣＥ４ａ−１、ＣＥ４ａ−２、ＣＥ４ａ−３がそれぞれどのチャネルを利用しているのか、その通信範囲はどの程度か、どの通信規格か、等といった各種通信情報を基本的に全て把握しようとする。把握した通信情報は、ＣＭ３内にある図示しない記憶部に記憶される。また自己の管轄内にあるＣＥ４に関する通信情報が更新された場合には、随時アップデートされる場合もある。なお、ＣＭ３ａは、他のＣＭ３ｂ等の管轄下にあるＣＥ４ｂ−１〜ＣＥ４ｂ−４についての通信情報は、当初の段階では分からない状態となっている。
【００２２】
ちなみに、ここでいう通信情報は、チャネル情報に加えて、ＣＭ３のＩＤやネットワークＩＤ、サービスエリア、ネットワークの通信規格や通信方式、各種意思決定の方法等、通信に関するあらゆる情報が含まれる。
【００２３】
ＣＥ４は、無線通信ネットワーク６におけるコーディネータ６１並びにデバイス６２間と、ＣＭ３との間における通信を中継し、また共存に関する各種処理を実行するイネーブラーである。このＣＥ４は、実際に無線通信ネットワーク６におけるコーディネータ６１内に実装され、そのコーディネータ６１によって生成され、又はデバイス６２から受信した、共存に関する各種要求や応答をＣＭ３へ送信する。また、このＣＥ４は、ＣＭ３から送信されてくる、共存に関する各種要求や応答をコーディネータ６１やデバイス６２へ送る。ＣＥ４は、あくまでイネーブラーとしての役割が主たるものであって、送受信する信号を必要に応じて他の規格のものに置き換えたり、送受信する信号を他の信号に変換する処理を担う。即ち、図１におけるＣＥ４とコーディネータ６１との間における点線矢印は、何れもイネーブルを意味する。このＣＥ４は、ＣＭ３の下に管轄グループに分かれ、一のＣＥ４が２以上のＣＭ３の管轄グループに属することは無い。
【００２４】
なお、ＣＥ４は、それぞれ無線通信ネットワーク６に実装されることから、ＣＥ４の判断は、無線通信ネットワーク６（コーディネータ６１、デバイス６２を含む）自身の判断を代表しているといえる。
【００２５】
ＴＶＷＳのデータベース５は、プライマリユーザによって既に占有されているチャネルのリストを格納するデータベースである。また、このＴＶＷＳのデータベース５は、既に占有されていないチャネルのリストも格納する。
【００２６】
デバイス６２は、ＩＥＥＥ８０２標準に基づいてコーディネータ６１との間で無線パケット通信を行うことができ、更にはコーディネータ６１を介して他のデバイス６２との間で無線パケット通信を行うことができる。このデバイス６２は、例えば携帯電話、パーソナルコンピュータ（ＰＣ）等を初めとしたモバイル端末等である。
【００２７】
コーディネータ６１も同様に上述したデバイス６２と構成を同一とするものであってもよい。このコーディネータ６１は、無線通信ネットワーク６内における中央制御ユニットとしての役割を担う。また、コーディネータ６１にはＣＥ４を装着可能な図示しない装着部が設けられていてもよい。
【００２８】
また、無線通信ネットワーク６、或いはデバイス６２とコーディネータ６１の何れかは、ＴＶＷＳのデータベース５にアクセス可能とされており、有効なＴＶＷＳのチャネルをダウンロードすることが可能とされていてもよい。
【００２９】
ちなみに、この無線通信ネットワーク６内には、当該ネットワーク６内の通信を制御するための通信制御局が別途設けられていてもよい。
【００３０】
次に、本発明を適用した無線通信ネットワーク間の通信共存システム１における共存方法について説明をする。
【００３１】
先ず図３に示すように、ステップＳ１１において、この通信共存システム１がＴＶＷＳのデータベース５に対して接続可能か否かチェックを行う。次に、ステップＳ１２へ移行し、ＣＤＩＳ２は、ＣＭ３から新規メッセージを受信したか、又はタイマーが満了したか否かを識別する。ちなみに、ステップＳ１１とステップＳ１２との間にＡが位置する。その結果、ＣＤＩＳ２は、何れも識別しなかった場合、再びＡに戻り、係るステップＳ１２の処理を繰り返し実行する。これに対して、ＣＤＩＳ２は、ＣＭ３から新規メッセージを受信したことを識別したか、又はタイマーが満了したことを識別した場合には、ステップＳ１３へ移行する。
【００３２】
次にステップＳ１３へ移行し、ステップＳ１２において受信した新規メッセージの送信元のＣＭ３がすでに認証済のものであるか否かを判別する。その結果、当該ＣＭ３がまだ認証されていないものであれば図４のＢへ移行する。これに対して、既に認証済のＣＭ３のメッセージであることを判別した場合には、ステップＳ１４へ移行する。
【００３３】
ステップＳ１４では、第１のタイマーを作動させるとともに第２のタイマーを停止し、更にカウンターを０にセットする。ここで第１のタイマー、第２のタイマーは、ＣＤＩＳ２内において独自に設定され、制御されるタイマーであり、本発明を適用した共存処理方法をどの程度繰り返して実行するかを制御するためのものである。なお、第１のタイマーは、新たなメッセージを受信する度に再スタートするものであってもよい。かかる場合において、この第１のタイマーは、最後にメッセージを受信してからの時間を計測するという意義を有する。また、カウンターは、ＣＭ＿ＩＤという、ＣＭ３それぞれに割り当てられたＩＤ毎のカウンターである。このステップＳ１４を終了後、Ｂへ移行する。
【００３４】
Ｂに移行した場合には、ステップＳ１５へ移行し、今度はステップＳ１２においてＣＭ３から受信した内容が、新規メッセージであるのか、又はタイマーの満了が通知されたのかを判別する。そして新規メッセージを受信したものと判別された場合には、ステップＳ１６へ移行する。これに対して、タイマーの満了が通知された場合には、更に第１のタイマーの満了が通知されたのか、第２のタイマーの満了が通知されたのかを判別する。そして第１のタイマーの満了が通知された場合には、Ｌへ移行し、第２のタイマーの満了が通知された場合には、Ｍへ移行する。
【００３５】
ステップＳ１６へ移行した場合には、その新規メッセージがＣＭ３からのものであるのかを確認する。本フローにおいて新規メッセージはあくまでＣＭ３からであるという前提ではあるが、ＣＭ３からのメッセージが混在する場合もありえる。このＣＭ３以外のメッセージを受信した旨をこのステップＳ１６において判別した場合には、Ａに移行し、ステップＳ１２を再度実行する。ＣＭ３のメッセージを受信した旨をこのステップＳ１６において判別した場合には、そのメッセージの内容を読み取る。
【００３６】
メッセージは、ＣＭ３からのメッセージは、接続要求、認証要求、ＣＭ登録要求、登録解除要求、認証解除要求、有効チャネル取得要求、情報取得要求、セッションアクティブ要求、他のメッセージ受信等に分類できる。接続要求のメッセージを受信した場合には、Ｃへ移行する。認証要求のメッセージを受信した場合には、Ｄへ移行する。ＣＭ登録要求のメッセージを受信した場合には、Ｅへ移行する。登録解除要求のメッセージを受信した場合には、Ｆへ移行する。認証解除要求のメッセージを受信した場合には、Ｇへ移行する。有効チャネル取得要求のメッセージを受信した場合には、Ｈへ移行する。情報取得要求のメッセージを受信した場合には、Ｉへ移行する。セッションアクティブ要求のメッセージを受信した場合には、Ｊへ移行する。他のメッセージ受信を受信した場合には、Ｋへ移行する。
【００３７】
以下、この図４に示されるＣ〜Ｍの詳細なフローチャートについて説明をする。
【００３８】
先ずＣに移行した場合について図５(a)を用いて説明する。ＣＭ３から接続要求のメッセージを受信したＣＤＩＳ２は、当該ＣＭ３に対する接続を許可する場合に、ステップＳ２１において、ＣＭ３に対して接続応答を送信する。かかる接続応答を受信した当該ＣＭ３は、ＣＤＩＳに対する接続が許可された旨を判別することが可能となる。
【００３９】
表１は、ＣＭ３からＣＤＩＳ２へ送信する接続要求のメッセージの詳細を示している。
【００４０】
【表１】
0005622322.tif 000002
【００４１】
表２は、ＣＤＩＳ２からＣＭ３へ送信する接続応答のメッセージの詳細を示している。
【００４２】
【表２】
0005622322.tif 000003
【００４３】
次に、Ｄに移行した場合について図５(b)を用いて説明する。ＣＭ３から認証要求のメッセージを受信したＣＤＩＳ２は、ステップＳ２２において、当該ＣＭ３の認証状態をチェックする。そして、当該ＣＭ３が未だ認証されていないものであって、今後において認証を許可する場合には、ステップＳ２３において当該ＣＭ３に対して認証応答を送信する。
【００４４】
表３は、このＣＭ３からＣＤＩＳ２への認証要求のメッセージの詳細を示している。
【００４５】
【表３】
0005622322.tif 000004
【００４６】
表４は、ＣＤＩＳ２からＣＭ３への認証応答の詳細を示している。
【００４７】
【表４】
0005622322.tif 000005
【００４８】
次に、Ｅに移行した場合について、図６(a)を用いて説明する。先ずＣＭ３からＣＭ登録要求のメッセージを受信したＣＤＩＳ２は、自らのデータベース内において当該ＣＭ３の登録情報をアップデートする（ステップＳ２４）。ここでいう登録情報とは、ＣＭ３が管轄する各無線通信ネットワーク６がそれぞれどの時点でどのチャネルを使用するか、等の情報からなるものである。この登録情報は、例えばネットワークＩＤ、ネットワークのタイプ、チャネル情報、通信範囲、干渉範囲等といった情報を含むようにしてもよい。また、各デバイス６２から情報を検出する際にはチャネル占有率や、干渉レベルといった情報も含まれる。次にＣＤＩＳ２は、ステップＳ２５において、当該ＣＭ３に対して登録応答を送信する。この登録応答は、ＣＭ３に対して、ＣＤＩＳ２内のアップデートが終了したことを通知するための信号である。次にＣＤＩＳ２は、ステップＳ２６において、隣接登録情報のアップデートを行う。この隣接登録情報は、当該ＣＭ３の管轄する無線通信ネットワーク６と隣接する他の無線通信ネットワーク６を管轄する他のＣＭ３の登録情報である。この隣接登録情報としては、隣接する他の無線通信ネットワーク６のリストが記載されていてもよい。このリストには、例えば、ネットワークＩＤ、ネットワークのタイプ、動作チャネル等といった情報が各隣接する他の無線通信ネットワーク６毎に記述される。
【００４９】
次にステップＳ２７において、このアップデートが行われた隣接登録情報を、当該他のＣＭ３に送信する。これにより、隣接する無線通信ネットワーク６を管轄する当該他のＣＭ３において、隣接登録情報のアップデートが行われたことを知ることが可能となる。
【００５０】
表５は、ＣＭ３からＣＤＩＳ２へ送信するＣＭ登録要求のメッセージの詳細を示している。
【００５１】
【表５】
0005622322.tif 000006
【００５２】
表６は、ＣＤＩＳ２からＣＭ３へ送信する登録応答のメッセージの詳細を示している。
【表６】
0005622322.tif 000007
【００５３】
表７は、ＣＤＩＳ２からＣＭ３へ送信する隣接登録情報のメッセージの詳細を示している。
【００５４】
【表７】
0005622322.tif 000008
【００５５】
次に、Ｆに移行した場合について、図６(b)を用いて説明する。先ず、先ずＣＭ３から登録解除要求のメッセージを受信したＣＤＩＳ２は、自らのデータベース内における登録情報の中から当該ＣＭ３の登録を解除する（ステップＳ２８）。次にＣＤＩＳ２は、ステップＳ２９において、当該ＣＭ３に対して登録応答を送信する。この登録応答は、ＣＭ３に対して、ＣＤＩＳ２内において当該ＣＭ３が解除されることによるアップデートが終了したことを通知するための信号である。次にＣＤＩＳ２は、ステップＳ２６において、隣接登録情報においても当該ＣＭ３の登録を解除する（ステップＳ３０）。次にステップＳ３１において、このアップデートが行われた隣接登録情報を、当該他のＣＭ３に送信する。これにより、隣接する無線通信ネットワーク６を管轄する当該他のＣＭ３において、隣接登録情報においてＣＭ３の登録解除が行われることによるアップデートが行われたことを知ることが可能となる。
【００５６】
表８は、ＣＭ３からＣＤＩＳ２へ送信する登録解除要求のメッセージの詳細を示している。
【００５７】
【表８】
0005622322.tif 000009
【００５８】
表９は、登録解除要求に対する、ＣＤＩＳ２からＣＭ３へ送信する登録応答のメッセージの詳細を示している。
【００５９】
【表９】
0005622322.tif 000010
【００６０】
次に、Ｇに移行した場合について、図７(a)を用いて説明する。ＣＭ３から認証解除要求のメッセージを受信したＣＤＩＳ２は、当該ＣＭ３についての認証解除のプロセスを実行後、ステップＳ３２に示すように、ＣＭ３に認証解除応答を送信する。この認証解除応答を受信したＣＭ３は、ＣＤＩＳ２側において認証が解除された旨を識別することが可能となる。
【００６１】
表１０は、ＣＭ３からＣＤＩＳ２へ送信する認証解除要求のメッセージの詳細を示している。
【００６２】
【表１０】
0005622322.tif 000011
【００６３】
表１１は、ＣＤＩＳ２からＣＭ３へ送信する認証解除要求のメッセージの詳細を示している。
【００６４】
【表１１】
0005622322.tif 000012
【００６５】
次に、Ｈに移行した場合について、図７(b)を用いて説明する。ＣＭ３から有効チャネル取得要求のメッセージを受信したＣＤＩＳ２は、データベース内において有効チャネルが存在するか否かをチェックする（ステップＳ３３）。そして、必要に応じて、かかるチェックした有効チャネルをＣＤＩＳ２からＣＭ３へ送信する。この有効チャネルに関する情報を送信する際には、規制範囲、有効チャネルのリストを含むものとし、この有効チャネルリストには、チャネル番号や伝送出力限界等が記述されている。表１２は、ＣＭ３からＣＤＩＳ２へ送信する有効チャネル取得要求のメッセージの詳細を示している。
【００６６】
【表１２】
0005622322.tif 000013
【００６７】
表１３は、ＣＤＩＳ２からＣＭ３へ送信する有効チャネルの送信内容の詳細を示している。
【００６８】
【表１３】
0005622322.tif 000014
【００６９】
次に、Ｉに移行した場合について、図８(a)を用いて説明する。ＣＭ３から情報取得要求のメッセージを受信したＣＤＩＳ２は、ステップＳ３４において、かかる取得要求を受けた情報が自身のデータベース内において記憶されているか否かをチェックする。次にステップＳ３５へ移行し、ＣＤＩＳ２から当該ＣＭ３に向けて情報取得応答を送信する。この情報取得応答には、取得要求を受けた情報を含めるようにしてもよいし、また取得要求を受けた情報が自身のデータベース内において記憶されていない場合には、その旨を含めるようにしてもよい。
【００７０】
Ｊに移行した場合において、フローチャートによる説明は省略するが、ＣＤＩＳ２は、セクションアクティブ要求を受けて、その要求において規定されている期間において、アクティブ化する動作を行う。
【００７１】
表１４は、ＣＤＩＳ２からＣＭ３へ向けて、実際にセクションアクティブ状態となっているかを確認するための信号の詳細を示している。
【００７２】
【表１４】
0005622322.tif 000015
【００７３】
表１５は、ＣＭ３からＣＤＩＳ２に向けて、自身がアクティブである旨を返答するための信号の詳細を示している。
【００７４】
【表１５】
0005622322.tif 000016
【００７５】
次に、Ｋに移行した場合について、図８(b) を用いて説明する。ＣＭ３から他のメッセージ受信を受信した場合、ステップＳ３５に示すように、当該ＣＭ３に対してそのメッセージはサポート外であることを通知する。その結果、当該ＣＭ３は、かかる他のメッセージはサポート外であることを知ることが可能となる。
【００７６】
次にＬに移行した場合において、図９(a)を用いて説明をする。先ず、ステップＳ３６において、ＣＤＩＳ２は、そのＣＭ３に対してセッションアクティブ要求を送信する。その結果、そのＣＭ３は、当該期間においてアクティブ化されることになる。次にステップＳ３７において、第２のタイマーをリセットする。また、これと同時にカウンターｎに１をプラスする。
【００７７】
次にＭに移行した場合において、図９(b)を用いて説明をする。先ず、ステップＳ３８、カウンターの数値ｎと、Ｍａｘとを比較する。このＭａｘとは、予め設定した閾値であり、このフローを実行する回数に応じたものである。ｎがＭａｘを下回る場合には、Ｌに移動する。これに対して、ｎがＭａｘと同等の場合には、次のステップＳ３９へ移行する。ステップＳ３９では、ＣＤＩＳ２において、そのＣＭ３を削除する。次に、ステップＳ４０において、そのＣＭ３を削除したことを隣接登録情報においてアップデートする。
【００７８】
なお、Ｃ〜Ｍを実行した後、何れもＡに戻る。
【００７９】
上述したように、本発明を適用した通信共存方法では、ＣＤＩＳ２において第１のタイマー、第２のタイマー、カウンターという３つの情報を制御する。
【００８０】
即ち、第１のタイマーがいわゆるスパンに短いタイマーであり、第２のタイマーがいわゆるスパンの長いタイマーである。
【００８１】
ここで、第１のタイマーは、満了する度に第２のタイマーをリセットして再スタートさせると共にカウンターを１増加させる。また、第２のタイマーの満了を識別した場合には、カウンターｎが所定値に達するまで第２のタイマーをリセットさせると共にカウンターを１増加させる処理を繰り返し実行する。そして、カウンターが所定値まで達した場合には、上述したステップＳ３９〜Ｓ４１の処理を実行する。これにより、登録情報の更新を行うタイミングを制御することで、高精度な干渉防止のための通信共存処理を行うことが可能となる。
【００８２】
なお本発明は、上述した実施の形態に限定されるものではない。例えばＣＤＩＳ２には、ＣＭ３との間でデータを送受信するための図示しない第１のインターフェースを有していてもよい。この第１のインターフェースは、ＣＤＩＳ２に対して、テレビ周波数帯域のネットワークを登録するための情報を提供するために使用される。また、この第１のインターフェースは、ＣＤＩＳ２から隣接登録情報を取得するために使用される。
【００８３】
またＣＤＩＳ２は、データベース５との間でデータを送受信するための第２のインターフェースを有していてもよい。当該第２のインターフェースは、少なくとも上記データベース５から有効なチャネル情報を得るために使用される。
【００８４】
また、上述した第１のインターフェースは、データベース５に対して有効なチャネル情報を提供するために使用されるものであってもよい。
【符号の説明】
【００８５】
１  通信共存システム
２  ＣＤＩＳ
３  ＣＭ
４  ＣＥ
５  データベース
６  無線通信ネットワーク
６１  コーディネータ
６２  デバイス
【図１】
0005622322.tif 000017
【図２】
0005622322.tif 000018
【図３】
0005622322.tif 000019
【図４】
0005622322.tif 000020
【図５】
0005622322.tif 000021
【図６】
0005622322.tif 000022
【図７】
0005622322.tif 000023
【図８】
0005622322.tif 000024
【図９】
0005622322.tif 000025
【図１０】
0005622322.tif 000026